【事件の表示】
　特願２０００−　３０７１０「指示位置検出システムおよび方法、プレゼンテーションシステム並びに情報記憶媒体」拒絶査定不服審判事件〔平成１３年　８月１７日出願公開、特開２００１−２２２３７５〕について、次のとおり審決する。
【結　論】
　本件審判の請求は、成り立たない。
【理　由】
Ｉ．手続きの経緯
　本願は、平成１２年２月８日の出願であって、平成１５年８月８日付けの拒絶の理由の通知に対して、同年１０月１日付けで意見書及び手続補正書が提出されたが、平成１６年１０月２０日付けで拒絶の査定を受けたものであり、この査定を不服として、同年１１月２５日付けで拒絶査定不服審判の請求がなされるとともに、同年１２月１４日付けで手続補正がなされ、平成１９年７月４日付けで審尋がなされ、同年８月３０日付けで回答書が提出されたものである。
　
ＩＩ．平成１６年１２月１４日付けの手続補正について
［結論］平成１６年１２月１４日付けの手続補正（以下、「本件補正」という。）を却下する。
　その理由は以下のとおり。
　
［理由］
（１）補正後の本願発明
　本件補正により、特許請求の範囲の請求項１７は、
「【請求項１７】　所定の画像表示領域における指示位置を検出する指示位置検出方法において、
　前記画像表示領域に一様画像を
投写
　一様画像が
投写
　指示が行われた画像表示領域の撮像結果である指示画像と前記差分像生成用画像との差分像を抽出する差分像抽出工程と、
　前記差分像に基づき、前記画像表示領域に含まれる指示画像の指示位置を検出する工程と
　を含むことを特徴とする指示位置検出方法。」
と補正された。（なお、アンダーラインは、補正箇所を示すために付したものである。）
　
　上記補正は、請求項１７に係る発明を特定するために必要な事項である「一様画像を表示」、「一様画像が表示」について、それぞれ「一様画像を投写」、「一様画像が投写」と下位概念化したものであって、特許法第１７条の２第４項の特許請求の範囲の減縮を目的とするものに該当する。
　
　そこで、本件補正後の前記請求項１７に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物の記載
　
　原査定の拒絶の理由に引用された特開平１１−２４８３９号公報（平成１１年１月２９日出願公開。以下、「刊行物」という。）には、図面と共に以下の事項が記載されている。
　
【００１２】＜１．第１の実施の形態＞先ず、図１〜図１０を参照して本発明の第１の実施の形態について説明する。図１は、本発明の第１の実施の形態としての情報入力装置を備えてなるインタラクティブ表示システムの構成例を概念的に示している。本実施の形態としてのインタラクティブ表示システム１は、半透明面２、赤外線発光ダイオード素子（ＬＥＤ：Light  Emitted  Diode ）パネル３、ＣＣＤ(Charge Coupled Device) カメラ４、プロジェクタ５、及び制御装置６を備えて構成される。赤外線ＬＥＤパネル３、ＣＣＤカメラ４、及びプロジェクタ５は半透明面２の背面側に対して設けられる。
【００１３】半透明面２は、例えば透明なガラス板に対してトレーシングペーパーのような見え方をする半透明膜を貼り合わせる、あるいは磨りガラスのような半透明の性質を有するものを利用するなどして形成され、後述するようにして当該インタラクティブ表示システム１における操作パネルと表示パネルとの両者の機能を併せ持つ。赤外線ＬＥＤパネル３は、例えばパネル面に対して多数の赤外線ＬＥＤが集合的に配列されることによって構成され、上記赤外線ＬＥＤから発光出力される赤外線光が半透明面の背面全体に対して照射されるように設けられる。上記赤外線ＬＥＤは制御装置６によって定常的に赤外線を発光するように駆動される。なお、赤外線ＬＥＤパネル３としては、発光出力される赤外線光が半透明面２全体に対して照射されるのに充分な数の赤外線ＬＥＤが設けられればよい。また、後述するように、初期の赤外線画像に対する現在の赤外線画像の差分に基づいて半透明面２側から反射してくる画像情報を得るようにされることから、半透明面２全体に対して照射される赤外線光量が一律であるべき必要もない。従って赤外線ＬＥＤパネル３のサイズは、半透明面２よりもはるかに小さいもので済ませることができる。
【００１４】ＣＣＤカメラ４は、撮像素子としてＣＣＤを用いたカメラ装置であり、この場合には、半透明面２に映る画像光として赤外線光の成分のみを撮像することにより、半透明面２に対して行われた操作を画像情報として認識するために設けられる。このため、ＣＣＤカメラ４の光学系の部分に対しては、赤外線領域の波長帯域のみを透過する赤外線透過フィルタ４ａが設けられる。また、ＣＣＤカメラ４により撮影される構図として半透明面２全体が含まれるようにその配置位置が設定される。
　
【００１９】入力画像処理部１２では、例えば画像入力部１１から供給された映像信号をデジタル信号による映像信号データに変換する。入力画像処理部１２においては、この映像信号データに基づいて得られる「画像情報（例えばフレーム単位の映像データ）」を利用して所要の解析処理等を実行することで、半透明面２に対して行われた操作情報を得るようにされる。ここで画像情報に基づいて得られる操作情報としては、例えば、半透明面２に対して操作を行っている操作体の画像上の位置（座標）や画像の信号レベルなどが用いられる。この操作情報はデータベース駆動部１４に伝送される。また、上記映像信号データは、画像合成部１７に対しても供給可能とされている。
　
【００２３】次に、上記構成による本実施の形態のインタラクティブ表示システム１における操作情報の検出方法について説明する。前述のように、図１に示す半透明面２全体に対しては、その背面から赤外線ＬＥＤパネル３により赤外線光が照射されるのであるが、この赤外線光は半透明面２が半透明であることから、全ての赤外線光が半透明面２を通過するのではなく、幾分かの赤外線光が半透明面２の作用によって反射されることになる。そして、本実施の形態においては半透明面２に対して何も操作が行われていないとされる状態のもとで、半透明面２にて反射される赤外線光をＣＣＤカメラ４により撮像して得られる映像信号データの初期レベルを「基準入力画像レベル」として記憶する。この基準入力画像レベルは、入力された映像信号データに基づいて例えば１フレームにおける画素ごとの信号レベルを検出することにより行うようにすればよい。この検出処理は、入力画像処理部１２により行われるものとされる。このようにして検出された基準入力画像レベルの情報はしきい値検出部１３に伝送され、ここで保持されることになる。
【００２４】上記基準入力画像レベルの検出処理は、例えば図３のフローチャートに示すものとなる。この図に示すように、先ず入力画像処理部１２では、ステップＳ１０１において、ＣＣＤカメラ４から画像入力部１１を介して供給された映像信号から得られる１フレーム分の画像データに基づいて、上述のようにして画素ごとに信号レベルを検出し、この検出結果を基準入力画像レベルＬｉｎｔとして得る。なお、具体的には画素ごとの輝度信号成分のレベルを検出してこれを基準入力画像レベルＬｉｎｔとすることが考えられる。入力画像処理部１２は、続くステップＳ１０２において、上記基準入力画像レベルＬｉｎｔをしきい値制御部１３に伝送して記憶させるように処理を実行する。
【００２５】なお、基準入力画像レベルＬｉｎｔを検出してしきい値制御部１３に記憶させる処理（上記図３に示す処理動作）は、例えば当該インタラクティブ表示システムの電源オン時などに実行させたり、あるいは何らかのユーザの指示によって必要なときに基準入力画像レベルＬｉｎｔを更新させるように構成することが考えられる。
【００２６】上記のようにして基準入力画像レベルＬｉｎｔの情報が保持された状態のもとで、操作情報として扱われる画像情報は次のようにして得るようにされる。図４は、操作情報のもととなる画像情報（以下、この「画像情報」については特に「検出画像情報」という）を得るための入力画像処理部１２の処理動作を示すフローチャートである。この場合、入力画像処理部１２は、先ずステップＳ２０１において現在の入力画像レベルＬｐｒｓを検出する処理を実行する。ここでいう入力画像レベルＬｐｒｓは、現在においてＣＣＤカメラ４により撮像された、赤外線光に基づく半透明面２の画像についてのフレーム単位のデータであり、このフレーム単位の画像データにおける画素ごとの信号レベルを検出して得られる情報である。続いて、入力画像処理部１２はステップＳ２０２において、基準入力画像レベルＬｉｎｔと上記現在の入力画像レベルＬｐｒｓの差分を演算する（Ｌ＝Ｌｐｒｓ−Ｌｉｎｔ）ことによって差分入力画像レベルＬを算出する。具体的には、基準入力画像レベルＬｉｎｔと上記入力画像レベルＬｐｒｓとして得られたデータ値を、同一位置の画素ごとに差分を求めることによって差分入力画像レベルＬを得るようにされる。従って、差分入力画像レベルＬとしては、常に基準入力画像レベルＬｉｎｔに対する現在の入力画像レベルＬｐｒｓとの信号レベル差が画素ごとに得られることになる。そして、入力画像処理部１２は、ステップＳ２０３に進み、上記差分入力画像レベルＬに基づいて、現在の検出画像情報（フレーム単位で画素ごとのレベル情報を有する形式の映像データ）を生成するようにされる。
【００２７】上記のごとき検出画像情報の検出動作を、実際のユーザの半透明面２の前面側での動きと共に説明する。例えばユーザは、半透明面２の前面側において赤外線を反射可能な何らかの物体を利用して半透明面２の前面側において操作を行うようにするのであるが、ここでは、説明の簡単のためにユーザ自身の指や身体を用いることとする。ここで、例えば図１に示すように半透明面２の前面側においてユーザが半透明面２から遠く離れた距離にいるときには、例えば半透明面２を通過してユーザの身体に反射するとされる赤外線光量は少ないことから、そのほとんどが半透明面２の前面から背面を通過して戻ることはない。このとき、上述した基準入力画像レベルＬｉｎｔと上記現在の入力画像レベルＬｐｒｓとは同等であり、入力画像処理部１２では、差分入力画像レベルＬとしてほぼ０であると検出することになる。つまり、差分入力画像レベルＬに基づいて生成される検出画像情報としては、初期状態と同様の変化の無いとされる状態が得られることになる。
【００２８】ここで、例えば上記の状態からユーザが徐々に半透明面２に対して近づいていったとすると、半透明面２を通過してユーザの身体に反射する赤外線光のうち、半透明面２を通過して背面側に到達する光量が次第に増加していくことになる。この状態を、入力画像処理部１２からみた場合には、ユーザの身体に対応する画像部分の基準入力画像レベルＬｉｎｔに対する現在の入力画像レベルＬｐｒｓのレベルが徐々に増加していく状態として捉えられる。これに応じて、検出画像情報としては算出される差分入力画像レベルＬに応じて、半透明面２に接近するユーザの姿が徐々に捉えられていくことになる。そして、半透明面２に対して例えばユーザの体が非常に接近した状態（しきい値の設定にもよるが例えば半透明面２から３０ｃｍ以内）では、その人体に反射した赤外線光がほとんど半透明面２を通過して背面側に到達することになるので、その身体形状がより鮮明な状態の検出画像情報が生成されることになる。
【００２９】また、ここでユーザがその身体を半透明面２からある程度距離を置いた状態で、例えば自身の指を手前にかざして半透明面２の非常に近い位置においたとする。この場合、半透明面２に近接するユーザの指は他の身体部分よりも多くの赤外線光を反射するため、入力画像処理部１２において得られる画像情報としては、ユーザの指にあたるに位置の画像領域のレベルが強く、その背景となる部分においてユーザの身体部分にあたる位置の画像領域のレベルは半透明面２からの距離に応じて弱くなることになる。そして、例えばこの状態のもとで、しきい値制御部１３にて設定された所定のしきい値と検出画像情報とを比較すれば、容易にユーザの指にあたる部分のみの画像を背景から分離させることが可能であり、同様にしきい値の設定によっては、半透明面２から離れた距離にあるユーザの身体部分のみを抽出した画像情報を得ることも可能である。このようなしきい値は、前述のように実際に必要とされる条件に応じた値がしきい値制御部１３において設定されるものである。
　
【００３５】次に、上記構成による本実施の形態のインタラクティブ表示システム１の利用例について、図５〜図９を参照して説明する。図５には、本実施の形態のインタラクティブ表示システム１の第１の利用例として、メニュー操作を行う場合が示されており、ここでは半透明面２を前面側からみた状態が示されている。例えばこの図に示すように、ユーザが半透明面２の前面に近づいたとすると、先ず、インタラクティブ表示システム１の制御装置６では、このときに得られる検出画像情報に基づいてユーザが近づいた半透明面２上の位置を認識する。そして、半透明面２上においてユーザが近づいたと認識された位置に対して、図のようにメニュー画面Ｍを表示するように表示制御を行う。このメニュー画面Ｍは当然のこととしてプロジェクタ５から半透明面２に対して投影された画像である。そして、ユーザ自身が位置している付近の半透明面２上にメニュー画面Ｍが表示された状態のもとで、例えばユーザは自身の指を用いて、メニュー画面Ｍにおいて操作項目が表示されている任意の領域を指さすように指定したとする。このとき、ユーザの指先は、半透明面２上から３ｃｍ〜３０ｃｍ程度の範囲内の距離にあるようにされる。
【００３６】これにより、例えばメニュー画面Ｍにおいては、ユーザが指し示した操作項目の領域が選択されたことを示す何らかの指示表示（例えば選択領域に対するカーソルの配置表示や所定の形態による強調表示など）が行われることになる。この強調表示のための表示制御は、検出画像情報に基づいてユーザの指が指し示している領域の座標を検出することにより実現される。
　
　以上の記載によれば、刊行物には、次の発明（以下、「刊行物記載発明」という。）が記載されている。
　
「ユーザが近づいた半透明面２上の位置を認識し、ユーザの指が指し示している領域の座標を検出する方法において、
　赤外線ＬＥＤパネル３は多数の赤外線ＬＥＤによって構成され、前記赤外線ＬＥＤから発行出力される赤外線光が半透明面２の背面全体に対して照射され、半透明面２全体に対して照射される赤外線光量が一律であるべき必要もなく、
　ＣＣＤカメラ４は、半透明面２に映る映像光として赤外線光の成分のみを撮像することにより、半透明面２に対して行われた操作を画像情報として認識するために設けられたものであり、
　画像情報に基づいて得られる操作情報としては、例えば、半透明面２に対して操作を行っている操作体の画像上の位置（座標）が用いられ、操作情報のもととなる画像情報（検出画像情報）は、次のようにして得られるものであり、
　半透明面２に対して何も操作が行われていないとされる状態のもとで、半透明面２にて反射される赤外線光をＣＣＤカメラ４により撮像して得られる映像信号データの初期レベルを基準入力レベルＬｉｎｔとして記憶し、
　現在の入力画像レベルＬｐｒｓを検出する処理を実行するステップＳ２０１と、
　基準入力レベルＬｉｎｔと現在の入力画像レベルＬｐｒｓの差分を演算する（Ｌ＝Ｌｐｒｓ−Ｌｉｎｔ）ことによって差分入力画像レベルＬを算出するステップＳ２０２と、
　この差分入力画像レベルＬに基づいて、現在の検出画像情報（フレーム単位で画素ごとのレベル情報を有する形式の映像データ）を生成するステップＳ２０３とを有し、
　この基準入力レベルＬｉｎｔ、現在の入力画像レベルＬｐｒｓは、いずれもＣＣＤカメラ４から得られる１フレーム分の画像データに基づいて、画素ごとに信号レベルを検出して得られるものであり、
　前記検出画像情報に基づいてユーザが近づいた半透明面２上の位置を認識し、ユーザの指が指し示している領域の座標を検出する方法。」
　
（３）対比
　本願補正発明と刊行物記載発明とを対比すると、刊行物記載発明の「半透明面２」は、本願補正発明の「所定の画像表示領域」に相当し、刊行物記載発明の「ユーザが近づいた半透明面２上の位置を認識し、ユーザの指が指し示している領域の座標を検出する方法」は、本願補正発明の「所定の画像表示領域における指示位置を検出する指示位置検出方法」に相当する。
　
　そして、刊行物記載発明は、「赤外線光が半透明面２の背面全体に対して照射され」るから、「前記画像表示領域に画像を投写する工程」を含むものである。
　
　さらに、刊行物記載発明の「検出画像情報」は、「基準入力レベルＬｉｎｔと現在の入力画像レベルＬｐｒｓの差分を演算することによって」算出される「差分入力画像レベルＬ」に基づいて生成されるから、本願補正発明の「差分像」に相当し、刊行物記載発明の「基準入力レベルＬｉｎｔ」は、「半透明面２に対して何も操作が行われていないとされる状態のもとで、半透明面２にて反射される赤外線光をＣＣＤカメラ４により撮像して得られる」とともに、この「基準入力レベルＬｉｎｔ」と「現在の入力画像レベルＬｐｒｓ」との差分に基づいて「差分像」が生成されるから、本願補正発明の「画像が投写された画像表示領域の撮像結果である差分像生成用画像」に相当する。
　また、刊行物記載発明は、「映像信号データの初期レベルを基準入力レベルＬｉｎｔとして記憶」するから、「画像が投写された画像表示領域の撮像結果である差分像生成用画像を記憶する工程」を含むことは明らかである。
　
　さらに、刊行物記載発明の「現在の入力画像レベルＬｐｒｓ」も、ユーザの指が指し示している状態のもとでは、半透明面２に映る画像光として赤外線光の成分のみを撮像することにより、半透明面２に対して行われた操作を画像情報として認識するために設けられたＣＣＤカメラ４から得られる１フレーム分の画像データに基づいて、画素ごとに信号レベルを検出して得られるものであって、画素ごとに情報を有しているから、本願補正発明の「指示が行われた画像表示領域の撮像結果である指示画像」に相当する。
　
　そして、本願において「差分像を生成」（段落番号【００８２】、【０１０９】など。）、「差分像を抽出」（段落番号【００７０】、【００７６】など。）等のように、「生成」と「抽出」が同じ意味で使用されていることは明らかであり、かつ、刊行物記載発明は「指示が行われた画像表示領域の撮像結果である指示画像」と「差分像生成用画像」との差分に基づいて差分像を生成するから、「差分像抽出工程」を含むことは明らかである。
　
　また、刊行物記載発明において、「検出画像情報」によって、「ユーザが近づいた半透明面２上の位置を認識し、ユーザの指が指し示している領域の座標を検出」しているから、本願補正発明の「画像表示領域に含まれる指示画像の指示位置を検出する工程」を含むことは明らかである。
　
　したがって、両者の一致点及び相違点は次のとおりである。
　
［一致点］
　
「所定の画像表示領域における指示位置を検出する指示位置検出方法において、
　前記画像表示領域に画像を投写する工程と、
　画像が投写された画像表示領域の撮像結果である差分像生成用画像を記憶する工程と、
　指示が行われた画像表示領域の撮像結果である指示画像と前記差分像生成用画像との差分像を抽出する差分像抽出工程と、
　前記差分像に基づき、前記画像表示領域に含まれる指示画像の指示位置を検出する工程と
　を含むことを特徴とする指示位置検出方法。」
　
［相違点］
　本願補正発明では、「画像」が「一様画像」であるのに対して、刊行物記載発明では、そうでない点。
　
（４）判断
　上記相違点について検討する。
　
　刊行物記載発明の「画像」は、「半透明面２全体に対して照射される赤外線光量が一律であるべき必要もなく」とされ、前記赤外線光量が一律であってもかまわないものであるから、前記赤外線光量を一律のものとすることは当業者であれば適宜選択し得た設計事項にすぎず、このとき「画像」は「一様画像」になるものと認められる。
　
　また、出願人は、本願補正発明の作用効果として、審判請求書の平成１６年１２月１４日付け手続補正書「（４）引用発明と本願発明との対比」において、次の点ａ．と、前置審尋に対する平成１９年８月３０日付け回答書「 １．特許法第２９条第２項に関する指摘に対しての回答 」において、次の点ｂ．を主張している。
　
ａ．「（２）および（３）に記載したように、本願の差分像を用いる場合に、指示が停止した状態でも適切な差分像を生成するという課題は、引用文献１〜４の課題とは相違し、引用文献１〜４は本願発明の動機付けとはなり得ない。
　また、引用文献１には、本願の差分像生成前に一様画像を投写する画像投写手段は記載されていない。また、画像投写手段によって投写された一様画像を撮像する撮像手段も記載されていない。
　このような構成の相違があるため、引用文献１の手法では、画像投写手段と画像表示領域との間に障害物が存在する場合、撮像画像における障害物の画像を除去できない。なぜなら自然光の光軸と、画像投写部の光軸は異なっているからである。」
　
ｂ．「しかし、Ｌｉｎｔを検出する処理は、初期の画像信号レベルを求めるためであって、本願発明のように、指示が停止した状態であっても指示部分を検出可能な差分像を生成するための処理ではありません。例えば、引用文献１の手法の場合、半透明面（画像表示領域）において手指によって指示がされている状態であっても、当該手指が半透明面から離れている場合、当該手指の情報がＬｐｒｓに含まれず、指示位置を検出することができません。これに対し、本願発明によれば、投写画像の撮像画像から差分像を求めているため、手指が画像表示領域（例えば、スクリーン等）から離れている場合であっても、手指による指示位置を検出することができます。」
　
　上記の２点について検討する。
　
ａ．について
　上記「ＩＩ．（４）判断」で述べたように、刊行物記載発明において、「画像を投写する工程」を「一様画像を投写する工程」とすることは、当業者であれば適宜選択し得た設計事項であるし、上記「ＩＩ．（３）対比」で述べたように、刊行物記載発明は、「画像を投写された画像表示領域の撮像結果である差分像生成用画像を記憶する工程」を含んでいることは明らかである。
　また、本願補正発明（本件補正後の請求項１７に係る発明）では、光軸は特定されていないから、上記刊行物記載発明では、「自然光の光軸と、画像投写部の光軸は異なっているから」、「画像投射手段と画像表示領域との間に障害物が存在する場合、撮像画像における障害物の画像を除去できない」との主張は、本願補正発明に基づくものではない。
　
ｂ．について
　刊行物記載発明において、「半透明面２に対して何も操作が行われていないとされる状態のもとで、半透明面２にて反射される赤外線光をＣＣＤカメラ４により撮像して得られる」ものである「基準入力レベルＬｉｎｔ」と、「現在の入力画像レベルＬｐｒｓ」との差分に基づいて生成される「差分像」に基づいて、ユーザが近づいた半透明面２上の位置を認識し、ユーザの指が指し示している領域の座標を検出することで出来るから、ユーザの指が停止した状態で指し示している状態、すなわち指示が停止した状態であっても指示部分を検出可能な差分像を生成できることは明らかである。
　よって、刊行物記載発明において、Ｌｉｎｔを検出する処理は、指示が停止した状態であっても指示部分を検出可能な差分像を生成するための処理でもあることは明らかである。
　また、上記刊行物 段落番号【００２８】「ここで、例えば上記の状態からユーザが徐々に半透明面２に対して近づいていったとすると、半透明面２を通過してユーザの身体に反射する赤外線光のうち、半透明面２を通過して背面側に到達する光量が次第に増加していくことになる。この状態を、入力画像処理部１２からみた場合には、ユーザの身体に対応する画像部分の基準入力画像レベルＬｉｎｔに対する現在の入力画像レベルＬｐｒｓのレベルが徐々に増加していく状態として捉えられる。これに応じて、検出画像情報としては算出される差分入力画像レベルＬに応じて、半透明面２に接近するユーザの姿が徐々に捉えられていくことになる。そして、半透明面２に対して例えばユーザの体が非常に接近した状態（しきい値の設定にもよるが例えば半透明面２から３０ｃｍ以内）では、その人体に反射した赤外線光がほとんど半透明面２を通過して背面側に到達することになるので、その身体形状がより鮮明な状態の検出画像情報が生成されることになる。」の記載からみて、刊行物記載発明において、半透明面（画像表示領域）において手指によって指示がされている状態であって、当該手指が半透明面から離れている場合であっても、当該手指の情報がＬｐｒｓに含まれ、指示位置を検出することができることは明らかである。
　また、上記「ＩＩ．（３）対比」で述べたように、刊行物記載発明も、画像が投写された画像表示領域の撮像結果である差分像生成用画像と、指示が行われた画像表示領域の撮像結果である指示画像とから差分像を求めていることは明らかである。
　
　したがって、本願補正発明は、刊行物記載発明に基づいて、当業者が容易に発明をすることができたものであるから、特許法第２９条第２項の規定により、特許出願の際独立して特許を受けることができない。
　
（５）むすび
　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
　
ＩＩＩ．本願発明について
　
（１）本願発明
　平成１６年１２月１４日付けの手続補正は上記のとおり却下されたので、本件出願の請求項１７に係る発明は、平成１５年１０月１日付けの手続補正書の特許請求の範囲の請求項１７に記載された事項により特定される、以下のとおりのものである。（以下、「本願発明」という。）
　
「【請求項１７】　所定の画像表示領域における指示位置を検出する指示位置検出方法において、
　前記画像表示領域に一様画像を表示する工程と、
　一様画像が表示された画像表示領域の撮像結果である差分像生成用画像を記憶する工程と、
　指示が行われた画像表示領域の撮像結果である指示画像と前記差分像生成用画像との差分像を抽出する差分像抽出工程と、
　前記差分像に基づき、前記画像表示領域に含まれる指示画像の指示位置を検出する工程と
　を含むことを特徴とする指示位置検出方法。」
　
（２）刊行物の記載
   刊行物記載発明については、前記「ＩＩ．（２）」で述べたとおりである。
　
（３）対比
　本願発明は、前記「ＩＩ．」で検討した本願補正発明の「一様画像を投写」、「一様画像が投写」をそれぞれ「一様画像を表示」、「一様画像が表示」と上位概念化したものである。
　
　そうすると、本願発明の構成要件をすべて含み、さらに他の構成要件を下位概念化したものに相当する本願補正発明が、前記「ＩＩ．（４）」に記載したとおり、刊行物記載発明に基づいて、当業者が容易に発明をすることができたものであるから、本願発明も、同様の理由により、刊行物記載発明に基づいて、当業者が容易に発明をすることができたものである。
　
ＩＶ．むすび
　以上のとおり、本願発明は、刊行物記載発明に基づいて、当業者が容易に発明をすることができたものであるから、特許法第２９条第２項の規定により特許を受けることができない。
　
　よって、結論のとおり審決する。